(57)【特許請求の範囲】
【請求項１】
無端状に設けられた踏段チェーンに連結される前輪軸に係止される係止部と、この係止部が取り付けられ、乗客コンベアの伸長方向に延設し、踏段が取り外されて形成される開口部の一部を塞ぐように配置される足場板とを有する単位足場装置を、複数連設して成る乗客コンベアの据付足場装置において、
前記単位足場装置の前記足場板は、
前記係止部に取り付けられた取り付け部と、
前記取り付け部に連設され、隣接された後方の前記単位足場装置の前記足場板方向に延設し、前記取り付け部よりも上側に配置された連結部と、
前記連結部に連設され、前記隣接された後方の前記単位足場装置の前記足場板方向に延設し、前記前輪軸に取り付けられた前輪ローラが案内されるガイドレールと略平行に配置された平行部と、
前記平行部に連設され、前記隣接された後方の前記単位足場装置の前記足場板方向に延設し、下向きに折り曲げ形成した折り曲げ部とを備え、
前記足場板の前記折り曲げ部と、隣接された後方の単位足場装置の足場板の一部とが重なり合っており、
前記足場板の前記連結部は、前記平行部を水平にした姿勢で前記取り付け部側の端部が前記平行部よりも下側となるように、前記平行部に対して屈曲しており、
前記足場板の前記折り曲げ部の端部は、隣接した後方の単位足場装置における前記屈曲した連結部の面と当接することを特徴とする乗客コンベアの据付足場装置。
【請求項２】
請求項１に記載の乗客コンベアの据付足場装置において、
複数の単位足場装置の前記足場板のそれぞれを、前記開口部の中央付近を塞ぐように配置したことを特徴とする乗客コンベアの据付足場装置。
【請求項３】
請求項１または２に記載の乗客コンベアの据付足場装置において、
前記係止部は、前記前輪軸の上側部分に当接するフック部と、前記前輪軸の下側部分に当接する爪部とを有し、前記フック部と前記爪部とにより前記前輪軸を把持することを特徴とする乗客コンベアの据付足場装置。
【請求項４】
請求項１乃至３のいずれか１項に記載の乗客コンベアの据付足場装置において、
複数の前記単位足場装置の前記足場板のそれぞれの表面に、高摩擦部材から成る滑り止め部と、凸部から成り据付作業者の足掛かりとなる踏み桟部とを設けたことを特徴とする乗客コンベアの据付足場装置。
【請求項５】
請求項１乃至４のいずれか１項に記載の乗客コンベアの据付足場装置において、
前記乗客コンベアは、下部乗降部と、上部乗降部と、前記下部乗降部と前記上部乗降部との間に配置される傾斜部とを有するエスカレータから成ることを特徴とする乗客コンベアの据付足場装置。
【発明の詳細な説明】
【技術分野】
【０００１】
本発明は、連設して配置される複数の単位足場装置を備えた乗客コンベアの据付足場装置に関する。
【背景技術】
【０００２】
乗客コンベア例えばエスカレータの据え付けに際しては、その長尺方向に分割されたフレームを連結する工程が初期作業として行われる。前述したフレーム内には、乗客を乗せる踏段が組み込まれており、このようにフレーム内に踏段が組み込まれた状態でフレームの連結作業が行なわれる。しかし、連結部の近傍に踏段が存在すると、フレームの連結作業の障害となることから、連結部の近傍の踏段は取り外されている。したがって、フレームの連結作業の終了時点では、一部の踏段が取り外された開口部が形成されている。
【０００３】
その開口部を介して、踏段の走行を案内するガイドレールの取り付け状態の確認作業が行われる。この確認作業時における安全性を確保する従来技術が特許文献１に開示されている。この従来技術は、前述した開口部の中央部付近等を塞ぐように、作業用足場装置を設けたものである。この従来技術は、踏段の前輪に係合する係合部が取り付けられ、エスカレータの伸長方向に延設し、据え付け作業の足場となる単位足場装板を複数連設した構成となっている。
【先行技術文献】
【特許文献】
【０００４】
【特許文献１】特開平０５−９７３７７号公報
【発明の概要】
【発明が解決しようとする課題】
【０００５】
ところで、前述したガイドレールの確認作業は、エスカレータの乗降部近傍でも必要になるが、特許文献１に開示された従来技術にあっては、この乗降部近傍の作業性が低下する懸念があった。すなわち、エスカレータの乗降部近傍では、前輪軸の走行を案内するガイドレールの形状が湾曲したＲ部を含む形状であることから、このＲ部に位置する前輪軸に、作業用足場装置を設置すると、隣接された複数の単位足場板間に段差、すなわち作業に支障を生じる隙間を生じてしまう。この隙間のために据付作業者は慎重な作業が要求され、作業能率が低下する虞があった。
【０００６】
本発明は、前述した従来技術における実情からなされたもので、その目的は、乗降部近傍においても、作業に支障を生じ得る隙間を生じさせることなく、複数の単位足場装置の足場板を配置することができる乗客コンベアの据付足場装置を提供することにある。
【課題を解決するための手段】
【０００７】
前記目的を達成するために、本発明に係る乗客コンベアの据付足場装置は、無端状に設けられた踏段チェーンに連結される前輪軸に係止される係止部と、この係止部が取り付けられ、乗客コンベアの伸長方向に延設し、踏段が取り外されて形成される開口部の一部を塞ぐように配置される足場板とを有する単位足場装置を、複数連設して成る乗客コンベアの据付足場装置において、前記単位足場装置の前記足場板は、前記係止部に取り付けられた取り付け部と、前記取り付け部に連設され、隣接された後方の前記単位足場装置の前記足場板方向に延設し、前記取り付け部よりも上側に配置された連結部と、前記連結部に連設され、前記隣接された後方の前記単位足場装置の前記足場板方向に延設し、前記前輪軸に取り付けられた前輪ローラが案内されるガイドレールと略平行に配置された平行部と、前記平行部に連設され、前記隣接された後方の前記単位足場装置の前記足場板方向に延設し、下向きに折り曲げ形成した折り曲げ部とを備え、前記単位足場装置の前記足場板の前記折り曲げ部と、隣接された後方の単位足場装置の足場板の一部とが重なり合っており、前記足場板の前記連結部は、前記平行部を水平にした姿勢で前記取り付け部側の端部が前記平行部よりも下側となるように、前記平行部に対して屈曲しており、前記足場板の前記折り曲げ部の端部は、隣接した後方の単位足場装置における前記屈曲した連結部の面と当接することを特徴としている。
【発明の効果】
【０００８】
本発明に係る乗客コンベアの据付足場装置は、当該据付足場装置を乗降部近傍に配置した際に、複数の単位足場装置の足場板のうちの前方に位置する単位足場装置の足場板の折り曲げ部が、当該単位足場装置に隣接する後方の単位足場装置の足場板の連結部に当接する状態を保つことができる。すなわち本発明は、乗降部近傍においても、隣接された単位足場装置の足場板間に、作業に支障を生じ得る隙間を生じさせることなく、複数の単位足場装置の足場板を配置することができる。これにより従来に比べてガイドレールの確認作業等を容易に、しかも安全に行うことができ、従来に比べてこの確認作業等の能率を向上させることができる。
【図面の簡単な説明】
【０００９】
【図１】本実施形態に係る据付足場装置がエスカレータの傾斜部の中間部に設置されている状態を示す側面図である。
【図２】図１に示す状態の本実施形態に係る据付足場装置を示す拡大斜視図である。
【図３】本実施形態に係る据付足場装置が、エスカレータの上部乗降口付近に設置されている状態を示す側面図である。
【図４】図３に示す状態の本実施形態に係る据付足場装置を示す拡大斜視図である。
【図５】本発明に係るエスカレータの据付足場装置の一実施形態に備えられる単位足場装置を示す平面図である。
【図６】図５に示す単位足場装置の側面図である。
【図７】図５に示す単位足場装置を前輪軸に係着させた状態を示す斜視図である。
【発明を実施するための形態】
【００１０】
以下、本発明に係る乗客コンベアの据付足場装置の実施の形態を図面に基づいて説明する。
【００１１】
図１，２に示すように、本発明の一実施形態に係る据付足場装置が適用される乗客コンベア例えばエスカレータは、その踏面１ａに乗客を乗せて上部乗降部２ａ、下部乗降部２ｂ間を循環走行する踏段１と、この踏段１の走行を案内するガイドレール１２ｂが取り付けられるフレーム３と、このフレーム３の上方に立設される欄干部４とを備えている。
【００１２】
前述した通り、エスカレータはその据え付け時に、ガイドレール１２ｂの取り付け状態の確認等のために、踏段１の一部が取り外された上部開口部５ａ、下部開口部５ｂが形成されている。これらの上部開口部５ａ、下部開口部５ｂは、踏段１の循環走行に伴って移動させることができる。
【００１３】
踏段１には、図示しない無端状の踏段チェーンに連結される前輪軸１ｂを備えている。上部開口部５ａ、下部開口部５ｂにおいても、前輪軸１ｂは配置されている。なお、欄干部４は、据え付け工程の初期にあっては、まだ据え付けられていないことから同図１にあっては、破線で示してある。
【００１４】
図１，２に示すように、本実施形態に係る据付足場装置は、エスカレータの伸長方向に延設し、踏段１が取り外されて形成される上部開口部５ａの一部を塞ぐように配置される後述の足場板６ｂを有する単位足場装置６を、複数連設して成るものである。
【００１５】
図３，４に示すように、踏段１を上昇運転させて、上部開口部５ａを上方に移動させると、単位足場装置６のそれぞれも移動して、上部乗降部２ａの近傍に位置させることができる。
【００１６】
図５，６，７に示すように、本実施形態に係る据付足場装置を構成する複数の単位足場装置６のそれぞれは、前輪軸１ｂに係止される係止部６ａと、この係止部６ａが取り付けられる前述の足場板６ｂとを有している。
【００１７】
図７に示すように、足場板６ｂは例えば、上部開口部５ａの中央部付近を塞ぐように配置してある。したがって、足場板６ｂの左右には開口５１ａがそれぞれ形成され、これらの開口５１ａを介して図２，４に示すガイドレール１２ｂの設置状態を確認することができる。
【００１８】
図６に示すように、本実施形態に係る据付足場装置の単位足場装置６は、係止部６ａに取り付けられた取り付け部６１ｂと、この取り付け部６１ｂに連設され、隣接された後方の単位足場装置６の足場板６ｂ方向に延設し、取り付け部６１ｂよりも上側に配置された連結部、例えば傾斜部６２ｂとを有している。また、単位足場装置６は、傾斜部６２ｂに連設され、隣接された後方の単位足場装置６の足場板６ｂ方向に延設し、図１，２等に示した前輪軸１ｂに取り付けられた前輪ローラ１１ｂが案内されるガイドレール１２ｂと略平行に配置された平行部６３ｂと、この平行部６３ｂに連設され、隣接された後方の単位足場装置６の足場板６ｂ方向に延設し、下向きに折り曲げ形成した折り曲げ部６４ｂとを有している。
【００１９】
また、図５，６等に示すように、単位足場装置の足場板６ｂは、表面に、高摩擦部材から成る滑り止め部６５ｂと、凸部から成り据付作業者の足掛かりとなる踏み桟部６６ｂとを設けてある。
【００２０】
図６に示すように、単位足場装置６の係止部６ａは、前輪軸１ｂの上側部分に当接するフック部６１ａと、前輪軸１ｂの下側部分に当接する爪部６２ａとを有し、フック部６１ａと爪部６２ａとにより前輪軸１ｂを把持する。
【００２１】
また、図１に示すようにエスカレータの上部乗降部２ａと下部乗降部２ｂの間に位置する傾斜部の中間部に、単位足場装置６が設置されている状態にあっては、図２に示すように、平行部６３ｂと、その下方に位置する係止部６ａとの間に、所定寸法の空隙Ｇが形成されるように、単位足場装置６の形状寸法を設定してある。
【００２２】
図３に示すように、上部乗降部２ａの近傍に単位足場装置６が位置したときには、図４に示すように、ガイドレール１２ｂのＲ部の形状に応じて、単位足場装置６の平行部６３ｂと、係止部６ａのフック部６１ａとの間隔が狭くなるように変化するが、このとき平行部６３ｂと係止部６ａのフック部６１ａとの干渉を生じないように前述した空隙Ｇの寸法を設定してある。
【００２３】
このように構成した本実施形態に係る据付足場装置によれば、図３，４に示すように、当該据付足場装置を例えば上部乗降部２ａの近傍に配置した際に、ガイドレール１２ｂのＲ部に沿う形態に変化した複数の単位足場装置６のうちの、前方の単位足場装置６の足場板６ｂの折り曲げ部６４ｂが、当該単位足場装置６に隣接する後方の足場板６ｂの傾斜部に当接するように保つことができる。すなわち本実施形態は、乗降部近傍、例えば上部乗降部２ａの近傍においても、隣接された単位足場装置６の足場板６ｂ間に、ガイドレール１２ｂの確認作業等の作業に支障を生じ得る隙間を生じさせることなく、複数の単位足場装置６の足場板６ｂを配置することができる。これによって本実施形態は、ガイドレール１２ｂの確認作業等を容易に、しかも安全に行うことができ、この確認作業等の能率を向上させることができる。
【００２４】
また本実施形態は、前述したように単位足場装置６の平行部６３ｂとフック部６１ａとの間に、所定の空隙Ｇを設けたことから、例えば上部乗降部２ａのＲ部に単位足場装置６が至ったときでも、平行部６３ｂとフック部６１ａとの干渉を生じさせることが無く、足場板６ｂの浮き上がり、及び係止部６ａと足場板６ｂの損傷を防ぐことができる。これにより信頼性の高い据付足場装置を実現できる。
【００２５】
また本実施形態は、係止部６ａのフック部６１ａと爪部６２ａとによって前輪軸１ｂを把持するようにしたことから、踏段１の移動に伴う単位足場装置６の移動の間、足場板６ｂが前輪軸１ｂから外れることを確実に防止できる。これによっても信頼性の高い据付足場装置を実現できる。
【００２６】
また本実施形態は、単位足場装置６の平行部６３ｂの表面に高摩擦部材から成る滑り止め部６５ｂを設けるとともに、凸部から成り据付作業者の足掛かりとなる踏み桟部６６ｂを設けたことから、足場板６ｂの表面を歩く据付作業者のさらなる安全性の向上を実現できる。
【００２７】
なお本発明は、前述した実施形態に限らず様々な態様を取り得る。例えば前述した実施形態では、エスカレータに適用させてあるが、本発明が適用される乗客コンベアはエスカレータに限られず、水平方向に、あるいは傾斜方向に乗客を乗せて走行する動く歩道にも適用することができる。
【符号の説明】
【００２８】
１    踏段
１ｂ  前輪軸
２ａ  上部乗降部
５ａ  上部開口部
６    単位足場装置
６ａ  係止部
６１ａ  フック部
６２ａ  爪部
６ｂ  足場板
６１ｂ  取り付け部
６２ｂ  傾斜部（連結部）
６３ｂ  平行部
６４ｂ  折り曲げ部
６５ｂ  滑り止め部
６６ｂ  踏み桟部
１１ｂ  前輪ローラ
１２ｂ  ガイドレール
【図１】
0006407789.tif 000002
【図２】
0006407789.tif 000003
【図３】
0006407789.tif 000004
【図４】
0006407789.tif 000005
【図５】
0006407789.tif 000006
【図６】
0006407789.tif 000007
【図７】
0006407789.tif 000008